(57)【要約】【課題】製造コスト、材料コスト、加工コスト及び廃棄コスト等を低減することができる光コネクタ清掃具用ケース、及び、光コネクタ清掃具を提供する。【解決手段】本発明に係る光コネクタ清掃具用ケース２は、本体部４と、蓋部５とを含むであって、本体部４及び蓋部５は、一枚の板紙又はダンボール紙を折り曲げ成形したものである。本発明に係る光コネクタ清掃具用ケース２は、清掃布３０と組み合わされて光コネクタ清掃具を構成する。清掃布３０は、軸３２に引き出し可能に巻装され、本体部４に収納されている。【選択図】図１
2013000211.tif 000002
【特許請求の範囲】
【請求項１】
本体部と、蓋部とを含む光コネクタ清掃具用ケースであって、
前記本体部及び前記蓋部は、一枚の板紙又はダンボール紙を折り曲げ成形したものである、
ケース。
【請求項２】
本体部と、蓋部とを含む光コネクタ清掃具用ケースであって、
前記本体部は、一枚の板紙又はダンボール紙を折り曲げ成形したものであり、収納空間と、前記収納空間に開口する開口部とを有しており、
前記蓋部は、板紙又はダンボール紙を折り曲げ成形したものであり、前記開口部を開閉するように、前記本体部分に開閉可能に取り付けられる、
ケース。
【請求項３】
ケースと、清掃布とを含む光コネクタ清掃具であって、
前記ケースは、請求項１又は２に記載されたものでなり、
前記清掃布は、軸に引き出し可能に巻装され、前記本体部に収納されている、
光コネクタ清掃具。
【請求項４】
請求項３に記載された光コネクタ清掃具であって、
前記蓋部は、第１の面領域と、第２の面領域と、第１の開口部と、第２の開口部とを有しており、
前記第１の面領域は、折り曲げ辺を介して前記第２の面領域と連続しており、
前記第１の開口部は、前記第１の面領域に開口しており、
前記第２の開口部は、前記第２の面領域に開口しており、
前記清掃布は、一面が第１の開口部を通じて外部に露出し、且、引き出し側の端縁が第２の開口部を通じて外部に引き出される、
光コネクタ清掃具。
【発明の詳細な説明】
【技術分野】
【０００１】
本発明は、光コネクタ清掃具用ケース、及び、光コネクタ清掃具に関する。
【背景技術】
【０００２】
光ファイバケーブルを用いた光通信網の設置作業、及び、メインテナンス作業においては、光ファイバケーブルの接続端にコネクタを装着する作業、光ファイバケーブルが接続されたコネクタ（光コネクタ）同士をアダプタを介して接続する作業、光コネクタをアダプタから一旦外し再度接続する作業などが行われる。
【０００３】
ところで、上述した各作業において、光コネクタのフェルール端面に油脂や塵埃等の付着物が付着すると、前記付着物によって光信号の挿入損失が増大し、正常に伝送できなくなることが知られている。そこで、光コネクタを取り扱う際には、特許文献１乃至３に開示されているような光コネクタ清掃具を用いてフェルール端面を清掃し、付着物を取り除くことが行われている。
【０００４】
しかし、特許文献１乃至３の光コネクタ清掃具は、いずれもケース内に清掃布が巻装された供給リール及び巻き取りリールの一対のリールと、走行機構とを有しており、前記走行機構によって清掃布を走行させるという構造を有しているため、製造コスト高を招く。特に、特許文献１乃至３の光コネクタ清掃具を構成するケースは、その内面に、前記一対のリール及び走行機構のための複雑な取付機構が形成されなければならないから、合成樹脂材料を用いた一体成形物とならざるを得ず、製造コスト高、材料コスト高、加工コスト高及び廃棄コスト高等を招く。
【先行技術文献】
【特許文献】
【０００５】
【特許文献１】特開２００１−１２９５０５号公報
【特許文献２】特開２００３−２９０７２２号公報
【特許文献３】特開２００４−１７０６４５号公報
【発明の概要】
【発明が解決しようとする課題】
【０００６】
本発明の課題は、製造コスト、材料コスト、加工コスト及び廃棄コスト等を低減することができる光コネクタ清掃具用ケース、及び、それを用いた光コネクタ清掃具を提供することである。
【課題を解決するための手段】
【０００７】
上述した課題を解決するため、本発明は、２つの態様に係る光コネクタ清掃具用ケースを開示する。
【０００８】
第１の態様に係る光コネクタ清掃具用ケースは、本体部と、蓋部とを含み、本体部と、蓋部とは、一枚の板紙又はダンボール紙を折り曲げ成形したものである。この構造によると、製造コスト、材料コスト、加工コスト及び廃棄コスト等を低減することができる。
【０００９】
また、本体部及び蓋部は、一枚の板紙又はダンボール紙を折り曲げ成形したものであるから、形状や構造を適宜調節するなどのバリエーションの展開を容易に、且、安価に行うことができる。
【００１０】
第２の態様に係る光コネクタ清掃具用ケースにおいて、本体部は、一枚の板紙又はダンボール紙を折り曲げ成形したものであり、収納空間と、収納空間に開口する開口部とを有している。蓋部は、板紙又はダンボール紙を折り曲げ成形したものであり、前記開口部を開閉するように、前記本体部分に開閉可能に取り付けられる。この構造によると、製造コスト、材料コスト、加工コスト及び廃棄コスト等を低減することができる。
【００１１】
また、本体部と、蓋部とのそれぞれは、板紙又はダンボール紙を折り曲げ成形したものであるから、形状や構造を適宜調節するなどのバリエーションの展開を容易に、且、安価に行うことができる。例えば、蓋部を構成する開口部の形状や大きさ、位置を適宜調節するなどのバリエーションの展開を容易に、且、安価に行うことができる。
【００１２】
本発明に係る光コネクタ清掃具用ケースは、清掃布と組み合わされて光コネクタ清掃具を構成する。清掃布は、本体部に収納されているから、清掃布によってフェルール端面を清掃することができる。
【００１３】
また、清掃布は、軸に引き出し可能に巻装され、前記本体部に収納されているから、清掃後は汚染された部分の清掃布を引き出して廃棄することができる。
【発明の効果】
【００１４】
以上述べたように、本発明によれば、製造コスト、材料コスト、加工コスト及び廃棄コスト等を低減することができる光コネクタ清掃具用ケース、及び、光コネクタ清掃具を提供することができる。
【００１５】
本発明の他の目的、構成及び利点については、添付図面を参照し、更に詳しく説明する。添付図面は、単に、例示に過ぎない。
【図面の簡単な説明】
【００１６】
【図１】本発明の一実施形態に係る光コネクタ清掃具の斜視図である。
【図２】図１の光コネクタ清掃具の分解構造を示す斜視図である。
【図３】図１の３−３線に沿った縦断面図である。
【図４】図１の４−４線に沿った横断面図である。
【図５】図２のケースの展開図である。
【図６】図１乃至図５の光コネクタ清掃具の使用方法を示す平面図である。
【図７】図６に示した工程の後の工程を示す断面図である。
【図８】本発明のもう一つの実施形態に係る光コネクタ清掃具の縦断面図である。
【図９】本発明の更にもう一つの実施形態に係る光コネクタ清掃具の縦断面図である。
【図１０】本発明の更にもう一つの実施形態に係る光コネクタ清掃具の分解構造を示す斜視図である。
【図１１】本発明の更にもう一つの実施形態に係る光コネクタ清掃具の斜視図である。
【図１２】図１１の光コネクタ清掃具を構成するケースの展開図である。
【発明を実施するための形態】
【００１７】
図１乃至図１２において同一符号は、同一又は対応部分を示すものとする。また、図１乃至図１２の説明において、清掃布３０の引き出し方向、及び、ケース２の縦方向は一致するから符号Ｌに統一して示す。
【００１８】
図１は、本発明の一実施形態に係る光コネクタ清掃具の斜視図、図２は図１の光コネクタ清掃具の分解構造を示す斜視図、図３は図１の３−３線に沿った縦断面図、図４は図１の４−４線に沿った横断面図である。図１乃至図４の光コネクタ清掃具は、ケース２と、クリーニング機構３を含む。クリーニング機構３は、清掃布３０と、受け板３１とで構成されている。
【００１９】
ケース２は、本体部４と、蓋部５とを含む。本体部４と、蓋部５とは、折り曲げ辺６１を介して一体的に連続している。本体部４は、収納空間４０と、収納空間４０に開口する開口部４１と、台部４２とを有している。
【００２０】
本体部４は、４つの側壁と、底部４５によって画定される内部空間を有している。台部４２は、断面でみて角筒体であり、清掃布３０の引き出し方向（Ｌ）の先側において、収納空間４０に隣接して配置されている。収納空間４０は、清掃布３０の引き出し方向（Ｌ）の後側において、折り曲げ辺６１に隣接している。違う言葉で表現すれば、収納空間４０は、本体部４の内部空間から、台部４２によって画定される領域を差し引いた空間である。
【００２１】
台部４２は、高さ方向Ｔでみた底部４５の反対側に、底部４５と平行する支持面４６を有している。支持面４６は、面内に一点鎖線で示す受け板３１の載置領域４７を有している。図１乃至図４からは必ずしも明確ではないが、支持面４６は、高さ方向Ｔでみて、開口部４１の開口端縁と同一の高さ位置、好ましくは開口部４１の開口端縁から受け板３１の厚み寸法分だけ低くなった高さ位置にある。
【００２２】
収納空間４０は、横方向Ｗでみた一対の側壁４３、４３のそれぞれに、軸受け溝４８を有している。軸受け溝４８は、側壁４３の上端縁の中間部分から底部４５に向かって直線状に下降し、その下降端縁が円弧状に成形され、側壁４３の内面領域で閉じている。
【００２３】
蓋部５は、第１の面領域５１と、第２の面領域５２と、第１の開口部５３と、第２の開口部５４とを有し、開口部４１を開閉可能に覆っている。第１の面領域５１は、縦方向Ｌの一端が折り曲げ辺６１を介して本体部４と連続しており、縦方向Ｌの他端が折り曲げ辺６２を介して第２の面領域５２と連続している。第１の面領域５１は、高さ方向Ｔでみて底部４５と平行に向かい合い、且、第２の面領域５２と互いに交差（直交）する配置となっている。
【００２４】
第１の開口部５３は、第１の面領域５１に開口している。より詳細に説明すると、第１の開口部５３は、光コネクタ清掃窓となる部分であって、載置領域４７と重なり合う部分において、第１の面領域５１を高さ方向Ｔ（又は板厚方向）に貫通し、支持面４６を外部に露出させる。第１の開口部５３は、好ましくは、載置領域４７よりも小さい開口領域であって、且、横方向Ｗでみた清掃布３０のシート幅寸法Ｗ３０よりも狭い開口幅寸法Ｗ５３となっている。第１の開口部５３は、第１の面領域５１に開口し、蓋部５が開口部４１を覆っている閉状態において、支持面４６上に引き出された清掃布３０を外部に露出する。
【００２５】
第２の開口部５４は、第２の面領域５２に開口している。より詳細に説明すると、第２の開口部５４は、清掃布３０の引き出し窓となる部分であって、第２の面領域５２において折り曲げ辺６１に沿ってスリット状、又は、線状に開口している。第２の開口部５４は、高さ方向Ｔでみて清掃布３０の厚み以上の間隔で開口し、且、横方向Ｌでみて清掃布３０のシート幅寸法Ｗ３０より大きな幅寸法を有している。
【００２６】
図１乃至図４のクリーニング機構３を構成する清掃布３０は、好ましくは極細の繊維材料を用いた不織布であって、ゴミを少なくするための無塵処理が施されている。清掃布３０のシート幅寸法Ｗ３０は、支持面４６の幅寸法以下であって、且、第１の開口部５３の幅寸法Ｗ５３より大きい。
【００２７】
清掃布３０は、軸３２に巻装されたロール体の状態で、収納空間４０に引き出し可能に収納されている。清掃布３０は、一面が第１の開口部５３を通じて外部に露出し、且、引き出し側の端縁３３が第２の開口部５４を通じて外部に引き出される。軸３２は、両端が軸受け溝４８に回転可能に取り付けられている。軸受け溝４８の溝長さは、清掃布３０が収納空間４０に収納された状態で使用され、巻き数が減少し、直径寸法が小さくなったときの軸３２の高さ位置の変位に対応するものである。
【００２８】
清掃布３０は、下巻きとなる状態で収納空間４０に収納されている。違う言葉で表現すれば、清掃布３０は、端縁３３が、高さ方向Ｔでみた底部４５の側から支持面４６の上に引き上げられ、第１の面領域５１と受け板３１との相対向面間Ｇを引き回され、さらに第２の開口部５４を通じてケース２外に引き出される。この構造によると、例えば、高さ方向Ｔから押し圧力Ｆ１が加えられた場合、清掃布３０は、縦方向Ｌでみた支持面４６の端縁Ｐ１に接触して引っ掛かるとともに、第１の面領域５１の内面と、受け板３１の表面とによって挟持されることにより、不正移動Ｆ２が規制される。
【００２９】
受け板３１は、好ましくは弾性を有する材料で構成された薄板体である。用いられる弾性材料としては、合成ゴム、天然ゴム、合成樹脂材料などを用いることができる。板面のすべり止め効果（摩擦力）、弾力性、材料コストの観点からは、合成ゴムが好ましい。又、プラスチックなど硬質の合成樹脂材料を用いた場合には表面を粗面加工し、摩擦係数を高めるよう調整する。
【００３０】
受け板３１は、支持面４６に取り付けられており、蓋部５が開口部４１を覆っている閉状態において、第１の開口部５３と向かい合い、且、第１の開口部５３の開口端が受け板３１の面領域内にある
図１乃至図４に示した光コネクタ清掃具の特徴の一つは、ケース２が、一枚の板紙、又は、ダンボール紙を折り曲げ成形したものである（図５参照）点にある。ケース２に用いられる紙材料について、材料コストの観点からは通常の板紙が好ましく、機械的強度の観点からはダンボール紙が好ましい。本明細書において「ダンボール紙」とは、「複数の板紙を張り合わせて多層構造としたもの、又は、波状に成形した中心紙の片面または両面に板紙をはり合わせたもの」をいう。図５の展開図において、破線は全て同じ側に折り曲げられる、谷折り線、又は、山折り線を示している。
【００３１】
図５を参照して、図１乃至図４のケース２の構造について補足説明すると、ケース２は、一対の側壁４３（となる部分）において、それぞれの上端縁に差し込み片７１を有し、底部４５（となる部分）に差し込み溝８１を有している。ケース２の組立に当たっては側壁４３となる部分を谷折りし、差し込み片７１を差し込み溝８１に差し込むことにより、側壁４３を立設する。
【００３２】
ケース２は、台部４２（となる部分）の中間部分に差し込み片７２を有し、底部４５（となる部分）に差し込み溝８２を有している。ケース２の組立に当たっては台部４２（となる部分）を谷折りし、その過程で差し込み片７２を差し込み溝８２に差し込むことにより台部４２を立設する。
【００３３】
蓋部５を構成する第１の面領域５１と、第２の面領域５２とは、折り曲げ辺６２によって画定されており、組み立てられた状態で互いに交差する配置となっている。ケース２は、第２の面領域５２（となる部分）において、横方向Ｗでみた両端に扇形の差し込み片７３を有し、一対の側壁部分４３は、縦方向Ｌでみた先端側に差し込みスペース８３を有している（図２参照）。ケース２の組立に当たっては蓋部５（となる部分）を谷折りし、最後に差し込み片７３を差し込みスペース８３に差し込むことにより、開口部４１が蓋部５によって開閉可能に覆われる（図１参照）。
【００３４】
図１乃至図５を参照して説明したケース２、及び、これを用いた光コネクタ清掃具の利点について、図６及び図７を参照しながら説明する。まず、図６に示すように、光コネクタ清掃具1を左手で持つ場合には、予め第２の開口部５４から清掃布３０の引き出し端縁３３を数センチ程度引き出し、第２の開口部５４を右手側に配置する。この状態で、右手で光コネクタ９を支持し、第１の開口部５３に露出する清掃布３０に、フェルール端面９０を円運動させながら螺旋状にこすりつけることにより、付着物を取り除く。
【００３５】
左手の親指は、第１の面領域５１に対し、高さ方向Ｔから押し圧力Ｆ１を加える。これにより、清掃布３０は、縦方向Ｌでみた支持面４６の端縁Ｐ１に接触して引っ掛かるとともに、第１の面領域５１の内面と、受け板３１の表面とによって挟持されることにより、不正移動Ｆ２が規制される（図７参照）。
【００３６】
次に、図７に示す工程は、図６に示した工程の後の工程であって、拭き取り作業終了後、端縁３３を右手でつまみながら、拭き取りに使用した領域が第１の開口部５３に露出しない位置まで、清掃布３０を引き出したのち、端縁３３を上に持ち上げて第２の開口部５４の開口端縁を構成する上端縁５５にこすりつけることにより、不要な清掃布３０を切断する。切断した清掃布３０の切れ端は、ゴミ箱などに廃棄する。
【００３７】
図は省略するが、図６及び図７の清掃工程を所定の回数繰り返し、清掃布３０が無くなった場合、蓋部５を開けて軸３２を取り出し、該軸３２に新たな清掃布３０を巻装するか、又は、取り替え用の新たな清掃布３０のロール体を準備して、収納空間４０に設置する。
【００３８】
既に述べたように、光ファイバケーブルを用いた光通信網の設置作業、及び、メインテナンス作業においては、光ファイバケーブルの接続端にコネクタを装着する作業、光ファイバケーブルが接続されたコネクタ（光コネクタ）同士をアダプタを介して接続する作業、光コネクタをアダプタから一旦外し再度接続する作業において、フェルール端面に油脂や塵埃等が付着すると、付着物によって光信号の挿入損失が増大し、正常に伝送できなくなる不具合が生じる。そこで、光コネクタの接続作業の際には、フェルール端面を清掃し、付着物を取り除かなければならない。
【００３９】
従来、この種の光コネクタ清掃具は、ケース内に清掃布が巻装された供給リール及び巻き取りリールの一対のリールと、走行機構とを有し、前記走行機構によって清掃布を走行させるという構造を有しているため、製造コスト高を招く。特に、ケースの内面に、前記一対のリール及び走行機構のための複雑な取付機構が形成されなければならないから、合成樹脂材料を用いた一体成形物とならざるを得ず、製造コスト高、材料コスト高、加工コスト高及び廃棄コスト高等を招く。
【００４０】
これに対し、図１乃至図７のケース２は、一枚の板紙又はダンボール紙を折り曲げ成形したものである。この構造によると、ケース２を合成樹脂材料で構成する場合に必要となる金型コストが不要となるから、製造コストを低減することができるとともに、材料コスト、加工コスト、廃棄コスト等を低減することができる。例えば、ケース２は、板紙又はダンボール紙を折り曲げ成形したものであるから、使い捨て可能である。
【００４１】
また、ケース２は、板紙又はダンボール紙を折り曲げ成形したものであるから、形状や構造を適宜調節する場合に、金型を準備する必要がない。従って、例えば第１、第２の開口部５３、５４の形状や幅寸法、位置を適宜調節するなどのバリエーションの展開を容易に、且、安価に行うことができる。
【００４２】
ケース２は、清掃布３０と組み合わされて光コネクタ清掃具１を構成する。清掃布３０は、本体部４に収納された状態で、第１の開口部５３に露出しているから、第１の開口部５３に露出する清掃布３０にフェルール端面９０をこすり付けることにより、付着物を取り除くことができる。
【００４３】
しかも、清掃布３０は、底部４５の側から支持面４６上に引き上げられ、第１の面領域５１と、受け板３１との相対向面間Ｇを引き回され、さらに第２の開口部５４を通じてケース２外に引き出される。この構造によると、例えば、光コネクタ清掃具１を左手で持つ場合、親指で高さ方向Ｔから押し圧力Ｆ１が加えることにより、清掃布３０が、支持面４６の端縁Ｐ１に接触して引っ掛かるとともに、第１の面領域５１の内面と、受け板３１の表面とによって挟持されることにより、不正移動Ｆ２が規制される。従って、フェルール端面９０のこすり付けによって、清掃布３０がフェルール端面９０の先端とともに不正移動Ｆ２する不都合は生ぜず、付着物を確実に取り除くことができる。
【００４４】
第１の開口部５３に露出する清掃布３０は、弾性を有する材料で構成された受け板３１によって裏側から支持されている。この構成によると、フェルール端面９０を清掃布３０にこすり付たる際に生じる余分な押し圧力は、受け板３１の弾性によって適宜緩和される。従って、光ファイバーの先端の削れや破損を防止し、信頼性に優れた光コネクタ清掃具を提供することができる。もっとも、受け板３１としてプラスチックなど硬質板を用いた場合には、清掃布３０の厚み寸法を厚くすることで、同様の押し圧力緩和効果を実現することができる。
【００４５】
また、受け板３１としてゴム板が用いられている場合、受け板３１の表面と、これに接触する清掃布３０の裏面との間で生じる摩擦力によって、清掃布３０の不正移動Ｆ２が規制される。従って、フェルール端面９０のこすり付けによって清掃布３０が不正移動Ｆ２する不都合は生ぜず、付着物を確実に取り除くことができる。
【００４６】
上述したように、図１乃至図７の光コネクタ清掃具１において、清掃布３０は、支持面４６の端縁Ｐ１に接触する構造と、第１の面領域５１と受け板３１とに挟持される構造、及び、受け板３１と間で生じる摩擦力により、不正移動Ｆ２が確実に阻止されている。この構成によると、第１の開口部５３を大きく形成し、清掃布３０を広く外部に露出させることが可能となる結果、図６に示すように、円運動させながら螺旋状にこすりつけることにより、フェルール端面９０に拭き取り残りのスジができることなく、付着物を完全に除去することができる。
【００４７】
さらに光コネクタ清掃具１において、第２の開口部５４は、折り曲げ辺６１にそって形成されている。この構造によると、従来技術とは異なり、巻き取りリールが不要となり、１つの供給リールで足りることとなる。しかも、ケース２が、機械的強度に優れたダンボールで形成されている場合、上端縁５５そのものが強靭なエッジ機能を奏し、カッター歯の役割を果たす。従って、巻き取りリール、及び、カッター歯が必要ではなくなる分だけ部品点数を削減し、製造コストを低減することができる。
【００４８】
上述したエッジ機能は、ダンボール特有の構造を考慮して上端縁５５を形成することにより向上される。具体的に、ダンボールを構成する中心紙（図示しない）の波形が連続する方向に対し、上端縁５５が交差する方向に延びていることが好ましい。違う言葉で表現すれば、上端縁５５の端面（切断端面）に、凹凸を繰り返す中心紙の波形形状があらわれているとき、ダンボールの構造的強度によって、上端縁５５に、強靭なエッジ機能が付与される。
【００４９】
清掃布３０は、軸３２に巻装され、端縁３３を第２の開口部５４から引き出し可能な状態で本体部４に収納されているから、端縁３３の側を片手でつまんで引き出すだけで、付着物によって汚染された部分を簡単に廃棄することができる。
【００５０】
図８及び図９は、本発明のもう一つの実施形態に係る光コネクタ清掃具の縦断面図である。図８及び図９の実施形態は、第２の開口部５４の開設位置が異なる以外は、図１乃至図７の実施形態と同一の基本的構成を有する。以下、相違点を中心に説明する。
【００５１】
図８の光コネクタ清掃具１は、第２の開口部５４が、第１の面領域５１において、折り曲げ辺６２に沿って設けられている。清掃布３０は、縦方向Ｌでみた支持面４６の端縁Ｐ１、第２の開口部５４を構成する上端縁（一方端縁）５５の内側Ｐ２、同上端縁５５に向かい合う他方端縁の外側Ｐ３に接触して引っ掛かるとともに、第１の面領域５１の内面と、受け板３１の表面とによって挟持される。
【００５２】
図９の光コネクタ清掃具１は、第２の開口部５４が、第２の面領域５２において、折り曲げ辺６２から離れた中間部に設けられている実施形態である。清掃布３０は、縦方向Ｌでみた支持面４６の一方端縁Ｐ１及び他方端縁Ｐ４、第２の開口部５４を構成する上端縁５５の内側Ｐ５に接触して引っ掛かるとともに、第１の面領域５１の内面と、受け板３１の表面とによって挟持される。
【００５３】
図８及び図９の実施形態によっても、図１乃至図７を参照して説明した利点を全て奏することができる。さらに、図８及び図９では、清掃布３と、本体部４及び蓋部５との接触点Ｐ１〜Ｐ５が増えることにより、清掃布３０の不正移動Ｆ２が確実に抑制される。
【００５４】
図１０は、本発明の更にもう一つの実施形態に係る光コネクタ清掃具の分解構造を示す斜視図である。図１０の光コネクタ清掃具１は、本体部４と、蓋部５とが別体となっている点に特徴がある実施形態であって、端的に言えば図１乃至図９のケース２を、折り曲げ辺６１に沿って切断した構造となっている。
【００５５】
すなわち、図１０のケース２は、本体部４と、蓋部５とを含む。本体部４は、一枚の板紙又はダンボール紙を折り曲げ成形したものであり、収納空間４０と、収納空間４０に開口する開口部４１とを有している。蓋部５は、一枚の板紙又はダンボール紙を折り曲げ成形したものであり、開口部４１に開閉可能に取り付けられ、取り付けられた状態で本体部４が内部に収納される。
【００５６】
図１０の実施形態によっても、図１乃至図９を参照して説明した利点を全て奏することができる。
【００５７】
図１１は本発明の更にもう一つの実施形態に係る光コネクタ清掃具の斜視図、図１２は図１１の光コネクタ清掃具を構成するケースの展開図である。図１２の展開図において、破線は全て同じ側に折り曲げられる谷折り線、又は、山折り線を示している。
【００５８】
図１１及び図１２の実施形態は、図１乃至図９の実施形態と同一の基本的構成を有する。以下、相違点を中心に説明する。まず、ケース２は、一枚のダンボール紙を折り曲げ成形したものである。このダンボール紙は、折り曲げたときにケース内面となる側の板紙が、静電気防止機能を有する素材で構成されている。この構造によると、ケース２の内部において、清掃布３０に塵埃が付着する不具合が防止される。従って、光コネクタ（９）のクリーニング作業において、フェルール端面（９０）が、清掃布３０の塵埃により、かえって汚染されてしまうとの不具合を回避することができる。
【００５９】
蓋部５は、第１の開口部５３の開口領域内に、開閉扉５６を有している。開閉扉５６は、折り曲げ辺６３を介して第１の面領域５１と一体的に連続しており、第１の開口部５３、及び、第１の開口部５３に露出する清掃布３０を開閉可能に覆っている。この構造によると、第１の開口部５３に露出する清掃布３０に、塵埃等が付着する不具合が防止される。
【００６０】
蓋部５は、上端縁５５が、第２の開口部５４の開口端面よりも清掃布３０の引き出し方向（Ｌ）に突出している。この構造によると、清掃布３０を上端縁５５にこすりつけて切断したとき、第２の開口部５４の開口端面から突出した位置に切断された端縁３３が残るから、切断後の端縁３３の引き出し作業を容易に行うことができる。
【００６１】
図１１及び図１２からは必ずしも明らかではないが、ケース２を構成するダンボールは、端縁がテープ材２１によって被覆されている。この構造によると、清掃布３０との摩擦や、開閉扉５６の開閉動作などによって、ダンボールの端縁から塵埃などが発生する不具合を防止することができる。
【００６２】
また、本体部４は、幅方向Ｗでみた一対の側壁部４３、４３のそれぞれに、周知のストラップを取り付けるための貫通孔８４を有しているから、光コネクタ清掃具を使用する際には、貫通孔８４にストラップを取り付けることにより、首から提げて携行し、使用することができる。
【００６３】
一対の側壁部４３、４３のそれぞれは、幅方向Ｗに向かい合う内面に軸受け孔４９を有している。軸受け孔は４９は、平面からみて三角錐状の内部空間を有する有底孔である。違う言葉で表現すると、軸受け孔４９は３つの内面で構成され、３つの内面は、軸受け孔４９の開口端縁の一辺を底辺とする三角形形状となっている。この構造によると、例えば断面でみて円形状の軸（３２）と組み合わされたとき、軸（３２）の外面が、軸受け孔４９の内面と接触し、軸（３２）の回転が規制される。従って、軸（３２）に巻装されている清掃布３０の繰り出し速度を適宜減速し、清掃布３０に余分な弛みが生じる不具合を回避することができる。
【００６４】
図１１及び図１２の実施形態では、図１乃至図９を参照して説明した利点に加え、上述した利点を奏することができる。しかも、ケース２は、板紙又はダンボール紙を折り曲げ成形したものであるから、図１１乃至図１２に係る本体部４及び蓋部５の設計変更は切断加工によって実現され、金型を準備する必要もない。従って、バリエーションの展開を容易に、且、安価に行うことができる。
【００６５】
以上、好ましい実施例を参照して本発明の内容を具体的に説明したが、本発明の基本的技術思想及び教示に基づいて、当業者であれば、種種の変形態様を採り得ることは自明である。例えば、本願発明の特徴の一つは、清掃布３０を収納するためのケース２を、板紙又はダンボール紙を折り曲げ成形したもので構成した点にあるから、必ずしも光コネクタに限られず、例えば文房具や医療用器具、その他同種の清掃布３０を用いて付着物の拭き取り作業を行うべき物品のための清掃具用ケースとして用いることができる。
【符号の説明】
【００６６】
１                光コネクタ清掃具
２                ケース
３０              清掃布
３２              軸
４                本体部
４０              収納空間
４１              収納空間に開口する開口部
５                蓋部
５１              第１面領域
５２              第２面領域
５３              第１開口部
５４              第２開口部
【図１】
2013000211.tif 000003
【図２】
2013000211.tif 000004
【図３】
2013000211.tif 000005
【図４】
2013000211.tif 000006
【図５】
2013000211.tif 000007
【図６】
2013000211.tif 000008
【図７】
2013000211.tif 000009
【図８】
2013000211.tif 000010
【図９】
2013000211.tif 000011
【図１０】
2013000211.tif 000012
【図１１】
2013000211.tif 000013
【図１２】
2013000211.tif 000014
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
ケースと、清掃布とを含む光コネクタ清掃具であって、
前記ケースは、本体部と、蓋部とを含み、
前記本体部及び前記蓋部は、一枚の板紙又はダンボール紙を折り曲げ成形したものであり、
前記蓋部は、第１の面領域と、第２の面領域と、第１の開口部と、第２の開口部とを有しており、
前記第１の面領域は、折り曲げ辺を介して前記第２の面領域と連続しており、
前記第１の開口部は、前記第１の面領域に開口しており、
前記第２の開口部は、前記第２の面領域に開口しており、
前記清掃布は、軸に引き出し可能に巻装され、前記本体部に収納されており、前記収納された状態で、一面が前記第１の開口部を通じて外部に露出し、且、引き出し側の端縁が前記第２の開口部を通じて外部に引き出される、
光コネクタ清掃具。
【請求項２】
ケースと、清掃布とを含む光コネクタ清掃具であって、
前記ケースは、本体部と、蓋部とを含み、
前記本体部は、一枚の板紙又はダンボール紙を折り曲げ成形したものであり、収納空間と、前記収納空間に開口する開口部とを有しており、
前記蓋部は、板紙又はダンボール紙を折り曲げ成形したものであり、前記開口部を開閉するように、前記本体部分に開閉可能に取り付けられており、
さらに前記蓋部は、第１の面領域と、第２の面領域と、第１の開口部と、第２の開口部とを有しており、
前記第１の面領域は、折り曲げ辺を介して前記第２の面領域と連続しており、
前記第１の開口部は、前記第１の面領域に開口しており、
前記第２の開口部は、前記第２の面領域に開口しており、
前記清掃布は、軸に引き出し可能に巻装され、前記本体部に収納されており、前記収納された状態で、一面が前記第１の開口部を通じて外部に露出し、且、引き出し側の端縁が前記第２の開口部を通じて外部に引き出される、
光コネクタ清掃具。